(57)【要約】      （修正有）【課題】縁かがり縫い後に収縮状態にある衣類の縫目を、時間及び特別な労力を要することなく、その全長に亘り確実かつ効率的に、また生地に傷等をつけないで拡張することが可能な衣類の縫目拡張装置を提供する。【解決手段】収縮状態の縫目が形成された生地部を縫目長手方向の両側に展開したとき、両側の生地部を挟んで縫目長手方向に向けて強制移送する左右一対の生地部強制移送装置３Ｌ，３Ｒと、左右一対の生地部強制移送装置３Ｌ，３Ｒ間の中央又は略中央位置に配置されてその長手方向に沿って移動するようにガイドする縫目位置決め移動ガイド４と、縫目移動ガイド４に沿って縫目が移動ガイドされる状態で生地部分を掻き込み、掻き込んだ生地部分を生地表裏方向の一方へ回転移送することで、該左右の生地部に縫目長手方向に対して直交する方向の引張り力が付与されて縫目をその長手方向に沿って順次拡張する縫目拡張用駆動回転体５と、が備えられている。【選択図】図２
2019209095.tif 000002
【特許請求の範囲】
【請求項１】
重なり合った二枚の生地部の縁かがり縫いにより収縮状態の縫目が形成された衣類における前記二枚の生地部を前記縫目の長手方向に対して直交する方向の両側に展開したとき、その展開した二枚の生地部の端縁が突き合わせ縫い状態となるように前記収縮状態の縫目を拡張する衣類の縫目拡張装置であって、
前記縁かがり縫いされた衣類における二枚の生地部を前記縫目の長手方向に対して直交する方向の両側に展開した状態で前記二枚の生地部を挟み保持して前記縫目の長手方向に向けて強制移送する一対の生地部移送装置と、
前記一対の生地部移送装置間の中央又は略中央位置に配設されて、前記衣類における前記二枚の生地部が前記一対の生地部移送装置により強制移送されるとき、前記縫目を前記一対の生地部移送装置間の中央又は略中央位置に位置決めした状態で縫目の長手方向に沿って移動するようにガイドする縫目位置決め移動ガイドと、
前記縫目が前記縫目位置決め移動ガイドに沿って移動ガイドされる状態で前記一対の生地部移送装置により強制移送されてくる前記二枚の生地部における前記収縮状態の縫目を含む生地部分を掻き込むとともに、その掻き込んだ生地部分を生地部の表裏方向の一方へ回転移送することにより前記二枚の生地部に前記縫目の長手方向に対して直交する方向の引張り力を付与して前記収縮状態の縫目をその長手方向の全長に亘り拡張する縫目拡張用駆動回転体と、
を具備することを特徴とする衣類の縫目拡張装置。
【請求項２】
前記一対の生地部移送装置は、それぞれ移送面を互いに対向させて配置された一組の移送装置から構成されている
ことを特徴とする請求項１に記載の衣類の縫目拡張装置。
【請求項３】
前記一組の移送装置は、それぞれ移送面を互いに対向させて配置された一組の無端ベルトから構成され、そのうち一方の無端ベルトがモータに連動連結されて駆動回転式に構成されているとともに、他方の無端ベルトは従動回転式に構成されている
ことを特徴とする請求項２に記載の衣類の縫目拡張装置。
【請求項４】
前記縫目拡張用駆動回転体は、外周面全域に亘って生地部分を掻き込み、かつ、その掻き込んだ生地部分を回転移送する突起部が形成されている
ことを特徴とする請求項１ないし３のいずれか１項に記載の衣類の縫目拡張装置。
【請求項５】
前記縫目拡張用駆動回転体の外周面の突起部は、前記縫目を形成する縫い糸を挟んで該縫目の長手方向に対して直交する方向の両側生地部分に接触してそれら両側生地部分を掻き込むように二股形状に構成されている請求項４に記載の衣類の縫目拡張装置。
【請求項６】
前記縫目拡張用駆動回転体は、前記一組の無端ベルトのうち、モータに連動連結されて駆動回転式に構成されている一方の無端ベルトに咬合する歯付きプーリを介して駆動回転可能に構成されている
ことを特徴とする請求項３に記載の衣類の縫目拡張装置。
【請求項７】
前記縫目位置決め移動ガイドは、前記縫目を含む生地部分が落ち込む凹溝部を有する凹状ガイドと、該凹状ガイドの凹溝部に落ち込んだ生地部分の抜け出しを阻止する凸状ガイドと、から構成されている
ことを特徴とする請求項１ないし５のいずれか１項に記載の衣類の縫目拡張装置。
【請求項８】
前記縁かがり縫いにより形成される縫目が、ＪＩＳの表記記号クラス５００に分類されるものである
ことを特徴とする請求項１ないし６のいずれか１項に記載の衣類の縫目拡張装置。
【発明の詳細な説明】
【技術分野】
【０００１】  本発明は、例えば、スポーツウェア、スパッツ、パンティストッキング、タイツ、ナイトウェアなどのように、重なり合った二枚の生地部の縁かがり縫いにより収縮状態の縫目が形成された衣類における前記二枚の生地部を前記縫目の長手方向に対して直交する方向の両側に展開したとき、その展開した二枚の生地部の端縁が突き合わせ縫い状態となるように前記収縮状態の縫目を拡張するために使用される衣類の縫目拡張装置に関する。
【背景技術】
【０００２】  対象衣類として、図７に示すスポーツウェアＳＷを例にとって説明すると、該スポーツウェアＳＷは、オーバーロックミシンを用いて、図７の矢印ａ，ｂ，ｃ，ｄ，ｅ，ｆで示す箇所に、ＪＩＳの表記記号クラス５００に分類される縫目Ｓが生地進行方向Ｙ（図６参照）に沿って形成されるように縁かがり縫いを行うことによって作製される。ＪＩＳの表記記号クラス５００のうち、例えば、１本の針糸ＮＴと上下２本のルーパ糸ＵＬＴ、ＬＬＴとの計３本の糸で構成するＪＩＳ表記記号５０５に分類される縫目Ｓの構造は、図８に示すとおりであり、縁かがり縫い時に上下に重なりあっていた上部の生地部ＵＷと下部の生地部ＬＷとを縫目の長手方向に直交する方向、例えば左右に展開することにより、該左右の生地部ＵＷ，ＬＷの端縁ＵＷｅ、ＬＷｅが図９及び図１０に示すような突き合わせ縫い状態となる。【０００３】  上記のように、縁かがり縫い後に左右に展開される左右の生地部ＵＷ，ＬＷの端縁ＵＷｅ、ＬＷｅが突き合わせ縫い状態の縫目構造とすることにより、肌に接する衣類の裏面に縫目部分が突出することなく、生地部を平滑に縫い合わせて着用感を高めることが可能であるとともに、生地部の端縁を衣類の表面に露出させることなく、美観にも優れた衣類を得ることが可能である。【０００４】  ところで、対象衣類が前述のスポーツウェアやパンティストッキングなどのように弾力性、伸縮性に富む生地素材を用いたものでは、針糸及びルーパ糸としてウーリー糸のような高伸度の糸が使用されることが多い。そのために、縁かがり縫いによって形成されるＪＩＳの表記記号クラス５０５に分類の縫目は、生地部の弾力性、伸縮性及び針糸、ルーパ糸の高伸度性の影響を受けて強い収縮状態となり、縁かがり縫いした生地部を縫目の左右に展開して左右の生地部の端縁が図９及び図１０に示す突き合わせ縫い状態となるように縫目を拡張するためには前記強い収縮状態にある縫目をその収縮力に対抗するに足りる強い引張り力が必要となる。
【発明の概要】
【発明が解決しようとする課題】
【０００５】  従来では、上記のような強い収縮状態にある縫目をその長手方向の全長に亘って拡張する専用の機器が存在しないため、縫目の拡張作業が全面的に人手に委ねられていた。そのため、縫目を拡張するために二枚の生地部を両手で強く掴んで縫目の長手方向に対して直交する両方向に強い引張り力を付与しなければならず、膨大な作業労力（人力）を要する。また、一つの衣類の複数個所に縫目が形成されている場合や、縫目の長さが非常に長いような場合、それら複数あるいは長い縫目の全てを拡張するために多大な作業手間及び長時間を要することとなる。その結果、所定の衣類の生産性低下を招きやすく、また、縫目をその全長に亘って見栄え良く拡張して着用感及び仕上りの良い衣類を得ることがむずかしいという問題があった。【０００６】  本発明は上述の実情に鑑みてなされたもので、縁かがり縫い後に、特別大きな作業労力を要することなく、最少限の手間、時間をかけるのみで、縫目をその全長に亘って確実かつ効率的に、また、生地に余分な摩擦をかけて擦過傷などを付けることなく拡張することができ、着用感及び仕上りの良い衣類の生産性向上を達成することができる衣類の縫目拡張装置を提供することを目的としている。
【課題を解決するための手段】
【０００７】  上記目的を達成するために、本発明に係る衣類の縫目拡張装置は、重なり合った二枚の生地部の縁かがり縫いにより収縮状態の縫目が形成された衣類における前記二枚の生地部を前記縫目の長手方向に対して直交する方向の両側に展開したとき、その展開した二枚の生地部の端縁が突き合わせ縫い状態となるように前記収縮状態の縫目を拡張する衣類の縫目拡張装置であって、前記縁かがり縫いされた衣類における二枚の生地部を前記縫目の長手方向に対して直交する方向の両側に展開した状態で前記二枚の生地部を挟み保持して前記縫目の長手方向に向けて強制移送する一対の生地部移送装置と、前記一対の生地部移送装置間の中央又は略中央位置に配設されて、前記衣類における前記二枚の生地部が前記一対の生地部移送装置により強制移送されるとき、前記縫目を前記一対の生地部移送装置間の中央又は略中央位置に位置決めした状態で縫目の長手方向に沿って移動するようにガイドする縫目位置決め移動ガイドと、前記縫目が前記縫目位置決め移動ガイドに沿って移動ガイドされる状態で前記一対の生地部移送装置により強制移送されてくる前記二枚の生地部における前記収縮状態の縫目を含む生地部分を掻き込むとともに、その掻き込んだ生地部分を生地部の表裏方向の一方へ回転移送することにより前記二枚の生地部に前記縫目の長手方向に対して直交する方向の引張り力を付与して前記収縮状態の縫目をその長手方向の全長に亘り拡張する縫目拡張用駆動回転体と、を具備することを特徴とする。
【発明の効果】
【０００８】  上記のごとき特徴を有する本発明に係る衣類の縫目拡張装置によれば、縁かがり縫いによって縫目が形成された二枚の生地部を縫目の長手方向に対して直交する方向の両側に展開した状態でその二枚の生地部を前記一対の生地部移送装置に挟み保持させ、かつ、縫目が前記縫目位置決め移動ガイドに沿って移動ガイドされるように、縫目の長手方向に向けて強制移送させる。そして、この強制移送時に収縮状態の縫目を含む生地部分に縫目拡張用駆動回転体を接触させて、前記縫目を含む生地部分を順次掻き込んで生地の表裏方向の一方へ回転移送させることにより、二枚の生地部に縫目の長手方向に対して直交する方向の引張り力が付与されて前記縫目を機械的、自動的に拡張することが可能である。したがって、縁かがり縫い後の二枚の生地部を展開してセットするといった最少限の手間と時間をかけるのみで、また、二枚の生地部を両手で強く掴んで縫目の長手方向に対して直交する両方向に強い引張り人力をかけるといった作業労力も要することなく、縫目をその全長に亘って確実かつ効率的に拡張して、生地部が着用感の高い平滑な裏面と美観に優れた表面とを有する衣類を得ることができる。【０００９】  特に、縫目拡張装置として、強制移送されてくる縫目を含む生地部分を順次掻き込むとともに、その掻き込んだ生地部分を生地部の表裏方向の一方に回転移送する駆動回転体を用いることによって、例えば、強制移送時に縫目を含む生地部分を勾配カムに沿って摺接移動させることで前記引張り力を付与する形式の固定式拡張装置を用いる場合に比べて、生地に余分な摩擦等をかけないで済み、生地に擦過傷などをつけることがないとともに、スポーツウェアやパンティストッキングなどのように弾力性、伸縮性に富む生地素材を用い、針糸及びルーパ糸としてウーリー糸のような高伸度の糸を使用して作製される関係から縫目が強い収縮状態となる衣類であっても、その縫目を確実かつ効率的に見栄え良く拡張して仕上りの良い衣類を生産することができるといった効果を奏する。【００１０】  本発明に係る衣類の縫目拡張装置において、前記一対の生地部移送装置は、それぞれ移送面を互いに対向させて配置された一組の移送装置から構成されていることが好ましい。
この場合は、縁かがり縫い後、縫目の両側に展開された二枚の生地部がそれぞれ一組の移送装置の対向する移送面間に挟み保持されて移送されることになるため、二枚の生地部を確実かつ均等に所定方向に強制移送することが可能となり、一層仕上りのよい衣類を得ることができる。【００１１】  また、本発明に係る衣類の縫目拡張装置において、前記一組の生地部強制移送装置は、それぞれ移送面を互いに対向させて配置された一組の無端ベルトから構成され、そのうち一方の無端ベルトが駆動モータに連動連結されて駆動回転式に構成されているとともに、他方の無端ベルトは従動回転式に構成されていることが好ましい。
この場合は、縁かがり縫い後、縫目の両側左右に展開された二枚の生地部が対向配置された一対の無端ベルト間に挟まれた状態で、一方の無端ベルトの駆動回転に伴い他方の無端ベルトを従動回転させながら強制移送されることになるため、二枚の生地部には殆ど移送抵抗がかからず、これら二枚の生地部をスムーズに強制移送させて所定の縫目拡張機能を確実かつ円滑に発揮させることが可能である。【００１２】  また、本発明に係る衣類の縫目拡張装置において、前記縫目拡張用駆動回転体は、外周面全域に亘って生地部分を掻き込み、かつ、その掻き込んだ生地部分を回転移送する突起部が形成されていることが好ましい。
この場合は、一対の生地部移送装置により強制移送されてくる二枚の生地部における収縮状態の縫目を含む生地部分を外周面の突起部が確実に掻き込んで駆動回転体の駆動回転に伴って回転移送することができるので、前記一対の生地部移送装置により強制移送される縫目両側の生地部分と縫目を含む中央の生地部分との間に多少の移送速度差があってもそれら両生地部分にねじれ等の無理な力をかけないで、縫目を確実に拡張することができる。【００１３】  特に、本発明に係る衣類の縫目拡張装置において、前記縫目拡張用駆動回転体の外周面の突起部は、前記縫目を形成する縫い糸を挟んで該縫目の長手方向に対して直交する方向の両側生地部分に接触してそれら両側生地部分を掻き込むように二股形状に構成されていることが好ましい。
この場合は、駆動回転体の外周面の二股形状の突起部が縫目を形成する縫い糸を挟んだ両側生地部分に接触して掻き込むことになるため、外周面の突起部が前記縫い糸を押え込んで縫目の拡張を阻害するようなことがない。そのため、所定の縫目拡張機能を確実に発揮させることが可能である。【００１４】  また、本発明に係る衣類の縫目拡張装置において、前記縫目拡張用駆動回転体は、前記一組の無端ベルトのうち、モータに連動連結されて駆動回転式に構成されている一方の無端ベルトに咬合する歯付きプーリを介して駆動回転可能に構成されていることが好ましい。
この場合は、前記縫目拡張用駆動回転体の駆動源を前記一組の無端ベルトのうち一方の無端ベルトの駆動用モータにより兼用することが可能で、駆動式無端ベルト及び縫目拡張用駆動回転体の両方を装備する割に装置全体を構造簡単かつ低コストに構成することができる。【００１５】  また、本発明に係る衣類の縫目拡張装置において、前記縫目位置決め移動ガイドは、前記縫目を含む生地部分が落ち込む凹溝部を有する凹状ガイドと、該凹状ガイドの凹溝部に落ち込んだ生地部分の抜け出しを阻止する凸状ガイドと、から構成されていることが望ましい。
この場合は、生地素材の弾力性、伸縮性にかかわらず、縫目を含む生地部分を凹状ガイドと凸状ガイドとにより、確実に位置決めし、かつ、移動ガイドすることになるために、いかなる収縮状態の縫目を対象とする場合でも、該縫目をその全長に亘って確実かつ安定的に拡張することができる。【００１６】  更に、本発明に係る衣類の縫目拡張装置において、前記縁かがり縫いにより形成される縫目が、ＪＩＳの表記記号クラス５００に分類されるものであることが好ましい。
この場合は、縁かがり縫いにより形成される縫目がＪＩＳの表記記号クラス５００に分類されるものであって、例えば、ＪＩＳ表記記号５０５のような針糸の張力が低い（又は緩い）状態の縫目であるならば、上記の縫目拡張を一層確実かつ安定的に行うことができる。
【図面の簡単な説明】
【００１７】
【図１】本発明の第一実施の形態に係る衣類の縫目拡張装置全体の斜視図である。
【図２】同上衣類の縫目拡張装置の要部の拡大斜視図である。
【図３】同上衣類の縫目拡張装置の要部の拡大左側面図である。
【図４】図３のＡ−Ａ線に沿った拡大縦断面図である。
【図５】図３のＢ−Ｂ線に沿った拡大縦断面図である。
【図６】本発明の第一実施の形態に係る衣類の縫目拡張装置による縫目拡張動作状態を説明する要部の側面図である。
【図７】縁かがり縫いによってＪＩＳの表記記号クラス５００に分類される縫目が形成される衣類の一例としてのスポーツウェアの斜視図である。
【図８】ＪＩＳ表記記号５０５に分類される縫目の構造を示す要部の拡大斜視図である。
【図９】縁かがり縫いした生地部を縫目の左右に展開したときの縫目の構造を生地表面側から見た要部の拡大平面図である。
【図１０】同上縁かがり縫いした生地部を縫目の左右に展開したときの縫目の構造を生地裏面側から見た要部の拡大平面図である。
【発明を実施するための最良の形態】
【００１８】  以下、本発明の実施の形態を図面にもとづいて説明する。
図１は本発明の実施の形態に係る衣類の縫目拡張装置全体の斜視図、図２は同上衣類の縫目拡張装置の要部の拡大斜視図、図３は同上衣類の縫目拡張装置の要部の拡大左側面図、図４は図３のＡ−Ａ線に沿った縦断面図、図５は図３のＢ−Ｂ線に沿った縦断面図である。【００１９】  上記衣類の縫目拡張装置Ｍは、水平基台１上に略垂直姿勢に固定設置された側面視が逆コの字形状の枠フレーム２と、該枠フレーム２の下側水平フレーム部２Ｌの前端部付近に固定の支持台８の上部に配設されて、オーバーロックミシンを用いてＪＩＳの表記記号クラス５０５に分類される縫目Ｓ（図８参照）が形成されるよう縁かがり縫いされた後の衣類における前記縫目Ｓの縫目長手方向に対して直交する方向の両側、つまり、水平面でいう左右両側に展開される左右二枚の生地部ＵＷ、ＬＷを上下から保持して、前記縫目Ｓの長手方向に向けて矢印Ｙ方向（図６参照）に強制移送する左右一対の生地部強制移送装置３Ｌ，３Ｒと、これら左右一対の生地部強制移送装置３Ｌ，３Ｒ間の中央又は略中央位置に配置されて、左右一対の生地部強制移送装置３Ｌ，３Ｒにより左右二枚の生地部ＵＷ、ＬＷが強制移送されるとき、前記縫目Ｓを前記左右一対の生地部強制移送装置３Ｌ，３Ｒ間の中央又は略中央位置に位置決めした状態で前記縫目Ｓが該縫目Ｓの長手方向に沿って移動するようにガイドする縫目位置決め移動ガイド４と、前記衣類が前記左右一対の生地部強制移送装置３Ｌ，３Ｒにより強制移送されるとき、前記縫目Ｓをその長手方向の全長に亘り順次拡張する縫目拡張用駆動回転体５と、を備えている。【００２０】  前記左右一対の生地部強制移送装置３Ｌ，３Ｒは、図２〜図５に明示されているように、それぞれ移送面を上下に対向させて配置された上下一対の移送装置としての上下一対の無端ベルト３ＬＵ，３ＬＬ、３ＲＵ，３ＲＬから構成されている。この上下一対の無端ベルト３ＬＵ，３ＬＬ、３ＲＵ，３ＲＬのうち、上部の無端ベルト３ＬＵ，３ＲＵはそれぞれ上部取付台１２ＬＵ，１２ＲＵに生地部移送方向に適宜間隔を隔てて軸支された複数個（実際は３個）の歯付きプーリ１３ＬＵ…、１３ＲＵ…に巻掛けられているとともに、下部の無端ベルト３ＬＬ，３ＲＬはそれぞれ下部取付台１２ＬＬ，１２ＲＬに生地部移送方向に適宜間隔を隔てて軸支された複数個（実際は３個）の歯付きプーリ１３ＬＬ…、１３ＲＬ…に巻掛けられている。以上のように構成される生地部強制移送装置３Ｌ，３Ｒが、縁かがり縫いされた衣類における左右二枚の生地部ＵＷ、ＬＷを縫目Ｓの長手方向に対して直交する方向の両側に展開した状態で前記左右二枚の生地部ＵＷ，ＬＷを上下から挟み保持して前記縫目Ｓの長手方向に向けて前記Ｙ方向に強制移送する。【００２１】  前記左右一対の生地部強制移送装置３Ｌ，３Ｒにおける上部の無端ベルト３ＬＵ，３ＲＵが、前記枠フレーム２の中間垂直フレーム部２Ｍに固定支持された駆動モータ６に中継用伝動ベルト７を介して連動連結されて駆動回転式に構成されている一方、下部の無端ベルト３ＬＬ，３ＲＬは、非駆動で上部の無端ベルト３ＬＵ，３ＲＵとの間に生地部を挟み保持して移送するときに移送面が同一方向へ向けて移動するような従動回転式に構成されている。【００２２】  また、前記左右一対の生地部強制移送装置３Ｌ，３Ｒのうち、上部の無端ベルト３ＬＵ，３ＲＵを巻掛ける歯付きプーリ１３ＬＵ…，１３ＲＵ…を回転可能に軸支する上部取付台１２ＬＵ，１２ＲＵは、図１〜図３に明示されているように、前記枠フレーム２の上側水平フレーム部２Ｕの前端部に固定の上下スライドレール９に沿って上下に昇降可能に支持された昇降部材１０の下部に装着されており、該昇降部材１０がシリンダ１１を介してスライドレール９に沿って駆動昇降されることにより、前記上部の無端ベルト３ＬＵ，３ＲＵの各移送面を下部の無端ベルト３ＬＬ，３ＲＬの各移送面に接近させて衣類の左右二枚の生地部を挟み保持して強制移送する状態と、前記上部の無端ベルト３ＬＵ，３ＲＵの各移送面を下部の無端ベルト３ＬＬ，３ＲＬの各移送面から上方に離間させて筒状の衣類であっても縫目拡張動作後に該筒状の衣類を前方（矢印Ｘ方向）に抜き出し可能とする状態と、に切替可能に構成されている。【００２３】  また、前記左右一対の生地部強制移送装置３Ｌ，３Ｒのうち、下部の無端ベルト３ＬＬ，３ＲＬを巻掛ける歯付きプーリ１３ＬＬ…，１３ＲＬ…を回転可能に軸支する下部取付台１２ＬＬ，１２ＲＬは前記支持台８の上部に固定支持されている。これら下部取付台１２ＬＬ，１２ＲＬは、図２、図４及び図５に示すように、その上面が前記下部無端ベルト３ＬＬ，３ＲＬの上面と同一又はほぼ同一高さに位置して左右二枚の生地部ＵＷ、ＬＷが強制移送されるときの左右の生地載置面１２ＬＬａ，１２ＲＬａに形成されている。【００２４】  前記縫目位置決め移動ガイド４は、図２及び図４に明示されているように、衣類における縫目Ｓの左右両側に展開される左右二枚の生地部ＵＷ、ＬＷが前記左右一対の生地部強制移送装置３Ｌ，３Ｒにより強制移送されるとき、前記縫目Ｓを含む生地部分Ｗｘが落ち込む凹溝部４ａを有する凹状ガイド４Ａと、この凹状ガイド４Ａの上部に沿うように配置され前記凹溝部４ａに落ち込んだ生地部分Ｗｘの抜け出しを阻止する断面略斧形の凸状ガイド４Ｂとから構成されている。この縫目位置決め移動ガイド４のうち、凹状ガイド４Ａは前記支持台８に固定されている一方、凸状ガイド４Ｂは前記昇降部材１０の下端前端部に長孔１４と固定ビス１５を介して上下に位置調整可能に取り付けられている。【００２５】  前記縫目拡張用駆動回転体５は、図１〜図３、図５及び図６に示すように、前記左右一対の生地部移送装置３Ｌ，３Ｒ間の中央位置で、かつ、前記左右一対の生地部移送装置３Ｌ，３Ｒによる強制移送方向Ｙにおいて前記縫目位置決め移動ガイド４よりも後方位置に配置されている。この縫目拡張用駆動回転体５は、その外周面全域に亘って収縮状態の前記縫目Ｓを含む生地部分Ｗｘに接触して該生地部分Ｗｘを掻き込むとともに、その掻き込んだ生地部分Ｗｘを回転移送する突起部５ａ…が連続的に形成されている。この縫目拡張用駆動回転体５の外周面に連続的に形成される突起部５ａ…は、図５に明示されているように、前記縫目Ｓを形成する縫い糸（針糸）ＮＴを挟んで該縫目Ｓの長手方向に対して直交する方向の両側生地部分Ｗｘに接触してそれら両側生地部分Ｗｘを掻き込むように二股形状に構成されている。【００���６】  また、前記縫目拡張用駆動回転体５は、前記上下一対の無端ベルト３ＬＵ，３ＬＬ、３ＲＵ，３ＲＬのうち、駆動モータ６に連動連結されて駆動回転式に構成されている上部の無端ベルト３ＬＵ，３ＲＵを巻掛ける歯付きプーリ１３ＬＵ…，１３ＲＵ…と同様に該無端ベルト３ＬＵ，３ＲＵに咬合するように配置されて前記上部取付台１２ＬＵ，１２ＲＵに回転可能に支承された歯付きプーリ１３ＬＵ１，１３ＲＵ１の回転軸１６に固定され、これによって、前記縫目拡張用駆動回転体５は前記上部の無端ベルト３ＬＵ，３ＲＵに同期して回転する駆動回転式に構成されている。【００２７】  次に、上記のように構成された本実施の形態に係る衣類の縫目拡張装置Ｍを用いて、オーバーロックミシンを用いた縁かがり縫いによってＪＩＳの表記記号クラス５０５に分類される図８に示すような収縮状態の縫目Ｓが形成された衣類、例えば、図７に示すスポーツウェアＳＷにおける各縫目Ｓを拡張する動作について説明する。【００２８】  まず、ＪＩＳの表記記号クラス５０５に分類される縫目Ｓが形成されたスポーツウェアＳＷの生地部で、縫目形成時には上下に重ね合わせられていた上下二枚の生地部ＵＷとＬＷとを縫目Ｓの左右両側に展開した上、図４及び図６に示すように、収縮状態にある前記縫目Ｓを含む生地部分Ｗｘを前記縫目位置決め移動ガイド４における凹状ガイド４Ａの凹溝部４ａに落とし込み、この凹状ガイド４Ａの上部に凸状ガイド４Ｂを位置させることにより、前記凹溝部４ａに落ち込んだ生地部分Ｗｘの抜け出しを阻止するとともに、左右両側に展開した生地部ＵＷ，ＬＷをその先端部から前記左右一対の生地部強制移送装置３Ｌ，３Ｒにおける上下一対の無端ベルト３ＬＵ，３ＬＬ、３ＲＵ，３ＲＬの対向移送面間に挟み保持し、かつ、それら挟み保持位置よりも両外側方にはみ出す左右の生地部分を下部取付台１２ＬＬ，１２ＲＬ上面の左右の生地載置面１２ＬＬａ，１２ＲＬａ上に載置するようにセットする。【００２９】  この状態で、前記駆動モータ６を作動させて前記左右一対の生地部強制移送装置３Ｌ，３Ｒの上部の無端ベルト３ＬＵ，３ＲＵの駆動を開始することによって、図４及び図６に示すように、前記縫目Ｓが縫目位置決め移動ガイド４の凹溝部４ａに沿って移動ガイドされる状態で、前記左右の生地部ＵＷ，ＬＷが左右一対の生地部強制移送装置３Ｌ，３Ｒにより矢印Ｙ方向に強制移送される。【００３０】  そして、左右の生地部ＵＷ、ＬＷにおける前記縫目Ｓを含む生地部分Ｗｘが前記縫目位置決め移動ガイド４における凹状ガイド４Ａの凹溝部４ａから脱け出るように、左右の生地部ＵＷ、ＬＷが前記縫目位置決め移動ガイド４の後方にまで強制移送されてきた時、図５に明示のように、前記収縮状態の縫目Ｓを含む生地部分Ｗｘに前記縫目拡張用駆動回転体５の外周面の突起部５ａが接触して該生地部分Ｗｘを掻き込むとともに、その掻き込んだ生地部分Ｗｘを生地部ＵＷ，ＬＷの表裏方向の一方へ回転移送することによって、左右二枚の生地部ＵＷ，ＬＷには縫目Ｓの長手方向に対して直交する方向の引張り力が付与される。この引張り力は前記縫目拡張用駆動回転体５外周面の最低位置ほど大きくなり、これによって、前記縫目Ｓが自動的かつ連続的に順次拡張されて前記左右一対の生地部強制移送装置３Ｌ，３Ｒを通過後には、左右二枚の生地部ＵＷ，ＬＷの端縁ＵＷｅ、ＬＷｅが図９及び図１０に示すような突き合わせ縫い状態となり、着用感の高い平滑な裏面と美観に優れた表面とを有するスポーツウェアＳＷに仕上げることが可能となる。【００３１】  上記のように、本実施の形態に係る衣類の縫目拡張装置Ｍは、縁かがり縫い後の生地部を縫目Ｓの長手方向に対して直交する左右両側に展開してセットするといった最少限の手間と時間をかけるのみで、また、人力にて強い引張り力をかけるといった作業労力も要することなく、縫目Ｓをその全長に亘って確実かつ効率的に拡張して、生地部が着用感の高い平滑な裏面と美観に優れた表面とを有する衣類を得ることができる。特に、スポーツウェアＳＷやパンティストッキングなどのように弾力性、伸縮性に富む生地素材を用い、針糸及びルーパ糸としてウーリー糸のような高伸度の糸を使用して作製されることが多い関係から縫目Ｓが強い収縮状態となる衣類であっても、その縫目Ｓを自動的に確実、迅速かつ均一に拡張することができる。【００３２】  特に、縫目拡張装置として、強制移送されてくる縫目Ｓを含む生地部分Ｗｘを順次掻き込むとともに、その掻き込んだ生地部分Ｗｘを生地部の表裏方向の一方に回転移送する駆動回転体５を用いることによって、例えば、強制移送時に縫目を含む生地部分を勾配カムに沿って摺接移動させることで前記のような引張り力を付与する形式の固定式拡張装置を用いる場合に比べて、生地部に余分な摩擦等をかけないで済むため、生地に擦過傷などをつけることがないとともに、スポーツウェアやパンティストッキングなどのように弾力性、伸縮性に富む生地素材を用い、針糸及びルーパ糸としてウーリー糸のような高伸度の糸を使用して作製される関係から縫目が強い収縮状態となる衣類であっても、その縫目を確実かつ効率的に見栄え良く拡張して仕上りの良い衣類を生産することができる。【００３３】  また、本実施の形態のように、前記左右一対の生地部強制移送装置３Ｌ，３Ｒが、それぞれ移送面を上下に対向して配置された上下一対の移送装置としての上下一対の無端ベルト３ＬＵ，３ＬＬ、３ＲＵ，３ＲＬから構成されている場合は、縁かがり縫い後、左右両側に展開された二枚の生地部ＵＷ，ＬＷがそれぞれ上下一対の無端ベルト３ＬＵ，３ＬＬ、３ＲＵ，３ＲＬの上下対向移送面間に挟まれて強制移送されることになるため、左右二枚の生地部ＵＷ，ＬＷを確実かつ均等に所定方向に強制移送することが可能で、縫目Ｓを左右に均一に拡張し、一層仕上りのよい衣類を得ることができる。【００３４】  また、本実施の形態に示すように、前記左右一対の生地部強制移送装置３Ｌ，３Ｒを構成する上下一対の無端ベルト３ＬＵ，３ＬＬ、３ＲＵ，３ＲＬのうち、上部の無端ベルト３ＬＵ，３ＲＵを、駆動モータ６に連動連結させて駆動回転式に構成する一方、下部の無端ベルト３ＬＬ，３ＲＬは、非駆動で上部の無端ベルト３ＬＵ，３ＲＵとの間に生地部を挟んで移送するときに移送面が同一方向へ向けて移動するような従動回転式に構成する場合は、縁かがり縫い後、左右両側に展開された二枚の生地部ＵＷ，ＬＷが対向配置された一対の無端ベルト間に挟���れた状態で、上部の無端ベルト３ＬＵ，３ＲＵの駆動回転に伴い下部の無端ベルト３ＬＬ，３ＲＬを従動回転させながら強制移送されることになるため、左右の生地部ＵＷ，ＬＷには殆ど移送抵抗がかからず、強制移送に伴う所定の縫目拡張機能を確実かつ円滑に発揮させることが可能である。【００３５】  また、本実施の形態に示すように、前記縫目拡張用駆動回転体５はその外周面全域に亘って生地部分を掻き込み、かつ、その掻き込んだ生地部分を回転移送する突起部５ａが形成されている場合は、一対の生地部移送装置３Ｌ，３Ｒにより強制移送されてくる二枚の生地部ＵＷ，ＬＷにおける収縮状態の縫目Ｓを含む生地部分Ｗｘを外周面の突起部５ａにより確実に掻き込んで駆動回転体５の駆動回転に伴って回転移送することができるので、前記一対の生地部移送装置３Ｌ，３Ｒにより強制移送される縫目両側の生地部分と縫目Ｓを含む中央の生地部分Ｗｘとの間に多少の移送速度差があってもそれら両生地部分にねじれ等の無理な力をかけないで、縫目Ｓを確実に拡張することができる。【００３６】  特に、前記縫目拡張用駆動回転体５の外周面の突起部５ａが、前記縫目Ｓを形成する縫い糸（針糸）ＮＴを挟んで該縫目Ｓの長手方向に対して直交する方向の両側生地部分に接触してそれら両側生地部分を掻き込むように二股形状に構成されている場合は、駆動回転体５の外周面の二股形状の突起部５ａが縫目Ｓを形成する縫い糸ＮＴを挟んだ両側生地部分に接触して掻き込むことになるため、外周面の突起部５ａが前記縫い糸ＮＴを押え込んで縫目Ｓの拡張を阻害するようなことがない。そのため、所定の縫目拡張機能を確実に発揮させることが可能である。【００３７】  また、本実施の形態に示すように、前記縫目位置決め移動ガイド４が、前記縫目Ｓを含む生地部分Ｗｘが落ち込む凹溝部４ａを有する凹状ガイド４Ａと、該凹状ガイド４Ａの凹溝部４ａに落ち込んだ生地部分Ｗｘの抜け出しを阻止する凸状ガイド４Ｂと、から構成されている場合は、生地素材の弾力性、伸縮性にかかわらず、縫目Ｓを含む生地部分Ｗｘを凹状ガイド４Ａと凸状ガイド４Ｂとにより、確実に位置決めし、かつ、移動ガイドするために、いかなる収縮状態の縫目Ｓを対象とする場合でも、該縫目Ｓをその全長に亘って確実かつ安定的に拡張することができる。【００３８】  また、上記した実施の形態では、前記左右一対の生地部強制移送装置３Ｌ，３Ｒによる生地部の移送経路が水平又は略水平に形成されたものについて説明したが、生地部の移送経路が鉛直又は略鉛直に形成されたものであっても、また、上下方向に傾斜した状態に形成されたものであってもよい。【００３９】  さらに、上記した実施の形態では、縫目拡張用駆動回転体５として直径が一定のもので説明したが、直径の異なるものと交換したり、直径が一定の駆動回転体５を上下に位置移動させるなど収縮状態の縫目Ｓの収縮代に対応して該駆動回転体５の最低位置を調整可能に構成することにより、いかなる収縮代の縫目Ｓであっても、該縫目Ｓを確実に拡張するように用いることができる。
【符号の説明】
【００４０】３Ｌ，３Ｒ  一対の生地部強制移送装置
３ＬＵ，３ＲＵ  上部の無端ベルト
３ＬＬ，３ＲＬ  下部の無端ベルト
４  縫目位置決め移動ガイド
４Ａ  凹状ガイド
４Ｂ  凸状ガイド
４ａ  凹溝部
５  縫目拡張用駆動回転体
５ａ  突起部
６  駆動モータ
１３ＬＵ，１３ＲＵ，１３ＬＵ１，１３ＲＵ１  歯付きプーリ
Ｍ  衣類の縫目拡張装置
ＳＷ  スポーツウエァ（衣類）
ＵＷ，ＬＷ  左右の生地部
ＵＷｅ，ＬＷｅ  生地部端縁
Ｗ１ｅ，Ｗ２ｅ  線状縫製端縁部
Ｙ  強制移送方向
【図１】
2019209095.tif 000003
【図２】
2019209095.tif 000004
【図３】
2019209095.tif 000005
【図４】
2019209095.tif 000006
【図５】
2019209095.tif 000007
【図６】
2019209095.tif 000008
【図７】
2019209095.tif 000009
【図８】
2019209095.tif 000010
【図９】
2019209095.tif 000011
【図１０】
2019209095.tif 000012